(57)【要約】【課題】レバー部材だけで移動板を移動させるために、ロットによるばらつきが少なく、常に、安定したコンタクト開放量を維持でき、コンタクト開放量が決め易く、軽操作性に優れ、多コンタクトから少コンタクトまで広く対応でき、コイルばねのばね力も弱く設定することができる。【解決手段】上下動可能な操作部材と、装着されたＩＣパッケージと電気的接続を形成する複数個の挟み込み形のコンタクトと、該コンタクトが固設されるソケット本体と、前記コンタクトを開閉する移動板とを有するＩＣソケットにおいて、前記コンタクトを、間隔を置いて保持する格子状の移動板と、前記コンタクトを開閉するために該移動板を横方向に移動するレバー部材とを有し、前記移動板を移動するためのカム機構が該レバー部材に設けられている。【選択図】　　　　図１
2004071256.tif 000002
【特許請求の範囲】
【請求項１】
上下動可能な操作部材と、装着されたＩＣパッケージと電気的接続を形成する複数個の挟み込み形のコンタクトと、該コンタクトが固設されるソケット本体と、前記コンタクトを、間隔を置いて保持する格子状の移動板とを有するＩＣソケットにおいて、
前記コンタクトを開閉するために前記移動板を横方向に移動するレバー部材を有し、前記移動板を移動するためのカム機構が該レバー部材に設けられていることを特徴とするＩＣソケット。
【請求項２】
前記コンタクトは、一対の弾性接片を有し、該弾性接片の間に前記移動板の格子状の仕切壁が配設されたことを特徴とする請求項１記載のＩＣソケット。
【請求項３】
前記操作部材の上下動により前記レバー部材が枢動されて、前記カム機構により前記移動板が横方向に動かされることを特徴とする請求項２記載のＩＣソケット。
【請求項４】
前記一対の弾性接片の上部間に前記移動板の格子状の仕切壁が挟み込まれて配置され、該仕切壁によって片側の弾性接片が開閉されるように形成されていることを特徴とする請求項２記載のＩＣソケット。
【請求項５】
前記レバー部材は、一端が前記ソケット本体に枢支され、他端が操作部材に当接されており、弾性部材によって上方に弾性附勢されていることを特徴とする請求項１記載のＩＣソケット。
【請求項６】
前記ＩＣパッケージが、ボール・グリッド・アレイタイプのＩＣパッケージであることを特徴とする請求項１記載のＩＣソケット。
【発明の詳細な説明】
【０００１】
【発明の属する技術分野】
本発明は、ソケット本体のコンタクトと電子部品等のパッケージであるＩＣパッケージの外部接点との開閉を行う電子部品用ソケットに関するもので、特に、コンタクトの弾性接片がＩＣパッケージの外部接点を挟み込んで接続するように適用されるＩＣソケットに係わるものである。
【０００２】
【従来の技術】
従来、電子部品としてのＩＣパッケージ等は、ＩＣソケットのソケット本体に装着し、格子状に形成された移動板を横方向に移動して、挟み込みコンタクトを開閉してＩＣパッケージと接続するようにしたＩＣソケットが知られている。
【０００３】
従来におけるこのようなＩＣソケットにおいては、挟み込みコンタクトが、固定側の弾性接片と可動側の弾性接片とをほぼ平行に延びるように配置して成り、固定側の弾性接片に対して可動側の弾性接片を移動板によって移動して開閉するように形成されていて、コンタクトによってＩＣパッケージの外部接点を挟み込んで接続するように構成されている。
【０００４】
このような従来のＩＣソケットの例が図１４乃至図１７に示されており、図１４および図１５には、くさび部材により移動板が移動されるタイプのＩＣソケットが示され、図１６および図１７には、レバー部材により移動板が移動されるタイプのＩＣソケットが示されている。
【０００５】
図１４および図１５に示されるように、くさび部材を用いるタイプのＩＣソケット１００は、固定のソケット本体１０２と、このソケット本体１０２に対して上下動可能にばね部材１１４によって弾性支持された操作部材１０３と、ソケット本体１０２に固設されて、かつ装着されたＩＣパッケージ１１０の半田ボール等の外部端子１１１と電気的接続を形成する複数個の挟み込み形のコンタクト１０４と、これらコンタクト１０４を開閉する格子状の仕切壁１１２が設けられた移動板１０５とを有しており、コンタクト１０４を開閉するために操作部材１０３から垂下するくさび部材１０６を設けて、操作部材１０３の押圧によってくさび部材１０６を介して移動板１０５を横方向に水平に移動するように設けられている。
【０００６】
また、図１６および図１７に示されるように、レバー部材を用いるタイプのＩＣソケット２００は、固定のソケット本体２０２と、このソケット本体２０２に対して上下動可能にばね部材２１４によって弾性支持された操作部材２０３と、ソケット本体２０２に固設されていて装着されたＩＣパッケージ２１０の外部端子２１１と電気的接続を形成する複数個の挟み込み形のコンタクト２０４と、これらコンタクト２０４を開閉する格子状の仕切壁２１２が設けられた移動板２０５と、移動板２０５を横方向に移動するためのレバー部材２０６とを有し、操作部材２０３の押圧によりレバー部材２０６を枢動してレバー部材２０６によって移動板２０５を横方向に移動するように構成されている。
【０００７】
【発明が解決しようとする課題】
しかしながら、このような従来のＩＣソケットにおいては、第１のくさび部材を有するタイプのＩＣソケット１００は、くさび部材１０６だけで移動板１０５を移動させるために、ロットによるばらつきが少なく、常に安定したコンタクト１０４の開放量を維持できてコンタクト開放量を決め易いが、コンタクト１０４の数が多くなるにつれて操作部材１０３がスタックする可能性が大きくなり、このようなスタック現象を回避するためには、操作部材１０３を戻すためのコイルばね１１３のばね力を大きく設定する必要があり、その結果、操作力が大きくなる等の問題が見られる。
【０００８】
また、第２のレバー部材を用いるタイプのＩＣソケット２００は、レバー部材２０６による「てこの原理」を応用しているために軽操作性にすぐれ、多コンタクトから少コンタクトまで広く対応できるが、レバー部材２０６と支軸２１５と伝達軸２１６との３つの部材によって移動板２０５を移動させてコンタクト２０４を開放するために、それぞれの部材の寸法精度が要求されてコンタクト開放量が決め難く、さらに、レバー部材２０６の出来上がりがロットによりばらつき易い等の問題が見られる。
【０００９】
従って、本発明の目的は、このような従来における問題を解決するために、１つのレバー部材だけで移動板を移動させるために、ロットによるばらつきが少なく、常に安定したコンタクト開放量を維持でき、コンタクト開放量が決め易く、軽操作性に優れ、多コンタクトから少コンタクトまで広く対応でき、コイルばねのばね力も弱く設定することができるＩＣソケットを提供することにある。
【００１０】
【課題を解決するための手段】
上述の目的を達成するために、本発明のＩＣソケットは、上下動可能な操作部材と、装着されたＩＣパッケージと電気的接続を形成する複数個の挟み込み形のコンタクトと、該コンタクトが固設されるソケット本体と、前記コンタクトを、間隔を置いて保持する格子状の移動板とを有するＩＣソケットにおいて、前記コンタクトを開閉するために前記移動板を横方向に移動するレバー部材を有し、前記移動板を移動するためのカム機構が該レバー部材に設けられていることを特徴とする。
【００１１】
また、本発明のＩＣソケットは、前記コンタクトが、一対の弾性接片を有し、該弾性接片の間に前記移動板の格子状の仕切壁が配設されたことを特徴とする。
【００１２】
さらに、本発明のＩＣソケットは、前記操作部材の上下動により前記レバー部材が枢動されて、前記カム機構により前記移動板が横方向に動かされることを特徴とする。
【００１３】
さらにまた、本発明のＩＣソケットは、前記一対の弾性接片の上部間に前記移動板の格子状の仕切壁が挟み込まれて配置され、該仕切壁によって片側の弾性接片が開閉されるように形成されていることを特徴とする。
【００１４】
本発明のＩＣソケットは、前記レバー部材が、一端が前記ソケット本体に枢支され、他端が操作部材に当接されており、弾性部材によって上方に弾性附勢されていることを特徴とする。
【００１５】
また、本発明のＩＣソケットは、前記ＩＣパッケージが、ボール・グリッド・アレイタイプのＩＣパッケージであることを特徴とする。
【００１６】
本発明のその他の目的や特徴および利点は、添付図面に示される本発明のＩＣソケットの実施形態についての以下の詳細な説明から明らかである。
【００１７】
【発明の実施の形態】
（実施例１）
図１乃至図６は、本発明の電子部品用ソケットとしての、例えばＩＣソケットの実施例１を示す概要説明図で、図１は、ソケットフリー状態の時の図２のＩ―Ｉ線に沿った断面図、図２は、図１の本発明のＩＣソケットを、操作部材を省略して示すソケット本体の平面図で、図３は、図２のＩＩＩ―ＩＩＩ線に沿った断面図、図４は、ソケットオープン状態の時の図５のＩＶ―ＩＶ線に沿った断面図で、図５は、図４のＩＣソケットを、操作部材を省略して示すソケット本体の平面図で、図６は、図５のＶＩ―ＶＩ線に沿った断面図である。
【００１８】
図１乃至図３に示されるように、本発明の実施例１における電子部品用ソケットとしてのＩＣソケット１は、電子部品としてのＩＣパッケージ１０を装着して電気的接続を形成する挟み込み形のコンタクト４を開閉すべく横方向に移動可能な移動板５を移動するためのレバー部材６を有するタイプのＩＣソケットである。
【００１９】
このような本発明のＩＣソケット１は、固定のソケット本体２と、このソケット本体２に対して上下動可能に設けられていて、１つまたは複数個のコイルばねのようなばね部材１４によって弾性的に支持されたカバー部材としての操作部材３と、ソケット本体２に基端部において固設され、かつ装着されたＩＣパッケージ１０と電気的接続を形成する複数個の挟み込み形のコンタクト４と、ソケット本体２内に配置されたコンタクト４を開閉するために格子状または櫛歯状の仕切壁１２が形成された水平横方向に移動可能な移動板５と、移動板５を横方向に移動するためのレバー部材６とを有している。
【００２０】
このような本発明のＩＣソケット１において、ソケット本体２は箱形または容器形をなしており、この箱形または容器形のソケット本体２の底部に、挟み込み形のコンタクト４がその基端部において固設されていて、装着されたＩＣパッケージ１０の球状または半球状の半田ボール等の外部端子１１を挟み込んで電気的接続を形成するように構成されている。
【００２１】
また、ソケット本体２の上部には、１つ、または複数個のコイルばね等のばね部材１４によって操作部材３が上下動可能に弾性支持されており、この操作部材３の上下動に対応して、カム機構としてのカム部材９を有するレバー部材６によって、格子状または櫛歯状の仕切壁１２を有する移動板５が左右横方向に水平に往復移動されるように連動されている。従って、移動板５の横方向の移動によってコンタクト４が開閉されるようになる。
【００２２】
このような本発明のＩＣソケット１において、コンタクト４は、一対の弾性接片７、８から成り、これら弾性接片７、８がほぼ平行に延びるように下方の基端部において一体的に形成されていてソケット本体２の底部に取付けられて固着されており、この固定された基端部から上方にこれら弾性接片７、８がほぼ平行に延びていて、弾性接片７と弾性接片８との間に移動板５の格子状または櫛歯状の仕切壁１２が、これら弾性接片７、８の上部の間に位置するように配設されていて弾性接片７、８が隔絶されている。
【００２３】
また、コンタクト４は、一方の弾性接片７が固定側のコンタクトとして形成されており、他方の弾性接片８が可動側のコンタクトして形成されていて固定側の弾性接片７の先端部に対して可動側の弾性接片８の先端部が近接するように弾性接片８が弾性附勢されている。さらに、このようなコンタクト４の可動側の弾性接片８は、移動板５が水平方向に横移動される時に、移動板５の仕切壁１２によって横方向に押圧されるので、可動側の弾性接片８の先端部が固定側の弾性接片７の先端部から離れる方向に押されてコンタクト４が開かれるようになる。
【００２４】
また、この時に、固定側の弾性接片７は、ほぼ直立したままであり、この弾性接片７に対して弾性接片８が離れる方向に押圧されて図４に示されるように外方に向って押されるので、可動側の弾性接片８の先端部が固定側の弾性接片７の先端部から離れて外方に開かれるようになり、従って、弾性接片７、８の先端部が開かれて図４に示されるようなオープン状態になって、弾性接片７、８の先端部間の間隔が図１の間隔から図４の間隔にまで大きく広げられるようになる。
【００２５】
さらに、本発明のＩＣソケット１において、レバー部材６は、一端において支軸１５によってソケット本体２に回動可能に枢支され、他端には図示されるように、係合部１６が設けられていて操作部材３の下面に当接されており、操作部材３の上下動に追従してレバー部材６が支軸１５を中心にして枢動されるようになっている。なお、この係合部１６の形状は、例えば図示のような三角形状でも良いし、あるいはまた円形状等でも良く、さらに、他の任意の形状でも何等構わないことは勿論である。
【００２６】
また、レバー部材６は、中間部分より支軸１５側にカム機構としてのカム部材９が設けられており、このカム部材９は、傾斜カム面９ａを有するように形成されていて、この傾斜カム面９ａが移動板５の角部と当接して移動板５を横方向に押すと共に、この傾斜カム面９ａの角部が移動板５の角部から下方に延びるように続く側部に当接して移動板５を横方向に押すことによって移動板５を水平に横方向に移動することができるように形成されている。
【００２７】
従って、レバー部材６の枢動によって横方向に移動された移動板５は、操作部材３の押し下げが停止されて、操作部材３がばね部材１４によって上方に押し上げられる時に、移動板５はレバー部材６による押圧が解放されるために、コンタクト４の可動側の弾性接片８の弾性力によって戻るように横移動されるので、コンタクト４の弾性接片７、８の先端部は、間隔が狭められる方向に図１に示されるフリーな状態に戻されるようになる。
【００２８】
このように、操作部材３が押し下げられてコンタクト４が図４に示されるオープン状態に開かれた時に、ＩＣパッケージ１０を上方から挿入してコンタクト４の上に装着して載置させておいて、次いで、操作部材３をフリーにして、ばね部材１４のばね力による押し上げによって、コンタクト４の先端部間にＩＣパッケージ１０の外部端子１１が挟み込まれて保持されるために、コンタクト４とＩＣパッケージ１０とが電気的に接続されるようになる。
【００２９】
このような本発明のＩＣソケット１において、図１乃至図３にソケットフリー状態が示され、図４乃至図６にソケットオープン状態が示されている。
【００３０】
図示されるように、コンタクト４の図１のフリー状態から図４のオープン状態へのコンタクト４の開閉に際しては、図１に示されるように、コンタクト４がフリー状態にある時に、移動板５が作動されて図示にて矢印で示される方向に移動させるために、操作部材３が押し下げられると、レバー部材６が支軸１５周りに枢動されてカム部材９の傾斜カム面９ａが移動板５の角部に当たって移動板５が横方向に押されるために、移動板５の仕切壁１２によってコンタクト４の可動側の弾性接片８が押されてコンタクト４が開かれるようになって、図４乃至図６のオープン状態になる。
【００３１】
このオープン状態において、ＩＣパッケージ１０を操作部材３の上方から挿入してコンタクト４の弾性接片７、８の間にＩＣパッケージ１０の半田ボール等の外部端子１１が位置するようにＩＣパッケージ１０を載置して、操作部材３の押し下げを止めて放せば、操作部材３はばね部材１４によって上方に押し上げられ、移動板５のレバー部材６のカム部材９による押圧がなくなって移動板５が自由になるので、コンタクト４は先端部が閉じる方向に弾性力によって戻されるようになって移動板５が押しやられるので、コンタクト４の可動側の弾性接片８が自己弾性力によって戻って、コンタクト４の先端部間にＩＣパッケージ１０の半田ボールのような外部端子１１が挟み込まれてコンタクト４とＩＣパッケージ１０の外部端子１１とが電気的に接続されるようになる。
【００３２】
このようにＩＣソケット１に装着されたＩＣパッケージ１０を取り出すためには、上述したように操作部材３を再び押し下げれば、レバー部材６のカム部材９によって移動板５が横方向に移動されてコンタクト４の可動側の弾性接片８が開かれる方向に押しやられるので、コンタクト４の先端部間が十分に開かれて可動側の弾性接片８がＩＣパッケージ１０の外部端子１１から離れるので、ＩＣパッケージ１０を掴んで取り出すことができ、必要に応じてＩＣパッケージ１０を別の新たなＩＣパッケージと交換することができる。
【００３３】
従って、上記のように構成された本発明のＩＣソケット１においては、操作部材３の押し下げによって、レバー部材６のカム部材９を介してコンタクト４の開閉操作が容易にでき、しかも、コンタクト４が良好にＩＣパッケージ１０の外部端子１１と接触でき、かつオープン時の移動板５によるコンタクト４の引き離しを良好に行って、ＩＣパッケージ１０の取り出しや挿入を容易にすることができ、実装作業の効率を向上して改善することが出来る。
【００３４】
また、レバー部材６だけで移動板５を移動させるために、ロットによるばらつきが少なく、常に安定したコンタクト開放量を維持でき、コンタクト開放量が決め易く、軽操作性に優れ、多コンタクトから少コンタクトまで広く対応でき、コイルばねのばね力も弱く設定することができる。なお、レバー部材６は、１つでも、２つ以上の複数個でも良いことは言うまでもない。さらに、使用されるＩＣパッケージ１０には、ボール・グリッド・アレイタイプのＩＣパッケージを好適に用いることができる。
【００３５】
（実施例２）
図７乃至図１０は、本発明の電子部品用ソケットとしてのＩＣソケットの実施例２を示す概要説明図で、図７は、ソケットフリー状態の時の図８のＶＩＩ―ＶＩＩ線に沿った断面図、図８は、図７の本発明のＩＣソケットを、操作部材を省略して示すソケット本体の平面図で、図９は、図７の本発明のＩＣソケットの実施例２におけるソケットオープン状態の時の図１０のＩＸ―ＩＸ線に沿った断面図で、図１０は、図９の本発明のＩＣソケットを、操作部材を省略して示すソケット本体の平面図である。
【００３６】
図７乃至図１０に示されるように、本発明の実施例２における電子部品用ソケットとしてのＩＣソケットも、先の実施例１と同様な挟み込み形のコンタクトを有するタイプのＩＣソケットである。このような本発明のＩＣソケット２０は、ソケット本体２２と、このソケット本体２２に対して上下動可能に設けられた操作部材２３と、ソケット本体２２に基端部において固設されて、かつ装着されたＩＣパッケージ３０と電気的接続を形成する複数個の挟み込み形のコンタクト２４と、ソケット本体２２内に配置された格子状または櫛歯状の仕切壁３２が形成された水平横方向に移動可能な移動板２５と、移動板２５を横方向に移動するためのレバー部材２６とを有しており、移動板２５を横方向に移動するためのレバー部材２６が、ソケット本体２２の正面側の側部に配置されていることが先の実施例１のＩＣソケット１と異なっており、他は実質的に同じであって、実施例１においては、レバー部材６が側面側の側部に配置されている。
【００３７】
従って、本発明のこの実施例２のＩＣソケット２０においては、ソケット本体２２は箱形または容器形をなしており、この箱形または容器形のソケット本体２２の底部に、挟み込み形のコンタクト２４がその基端部において固定して設けられていて、装着されたＩＣパッケージ３０の球状または半球状の外部端子３１と電気的接続を形成するように構成されている。
【００３８】
また、ソケット本体２２の上部には、１つ、または複数個のコイルばねのようなばね部材３４によって操作部材２３が上下動可能に弾性支持されており、この操作部材２３の上下動に対応してレバー部材２６のカム機構であるカム部材２９によって格子状または櫛歯状の仕切壁３２を有する移動板２５が左右に横方向に水平移動されるように連動されている。従って、この移動板２５の横方向の移動によってコンタクト２４が開閉されるようになる。
【００３９】
このような本発明のＩＣソケット２０において、コンタクト２４は、一対の弾性接片２７、２８から成り、これら弾性接片２７、２８は、ほぼ平行に延びるように基端部においてソケット本体２２の底部に固着されており、これら基端部から弾性接片２７と弾性接片２８がほぼ平行に上方に向ってほぼ真っ直ぐに延びていて、弾性接片２７、２８間に移動板２５の格子状または櫛歯状の仕切壁３２が位置するように配設されると共に、この移動板２５の格子状または櫛歯状の仕切壁３２がコンタクト２４の弾性接片２７、２８の間に配置されており、これによって弾性接片２７、２８が隔絶されている。
【００４０】
また、コンタクト２４の一方の弾性接片２７は固定側で、他方の弾性接片２８が可動側で、移動板２５が水平方向に移動する時に、移動板２５の仕切壁３２によって可動側の弾性接片２８が外方に押圧されるので、コンタクト２４の先端部が外方に開かれて図９、図１０のようなオープン状態になり、弾性接片２７、２８の先端部分の間の間隔が十分に広がってＩＣパッケージ３０の外部端子３１が挿入できるようになる。
【００４１】
このように、本発明におけるＩＣソケット２０のコンタクト２４の図７、図８のフリー状態から、図９、図１０のオープン状態へのコンタクト２４の開閉状態が図示されている。すなわち、図７、図８に示されるように、コンタクト２４がフリー状態にある時に、カバー部材としての操作部材２３を押し下げると、操作部材２３の下面に係合部３６が当接しているレバー部材２６は支軸３５を中心として下方に枢動されて、このレバー部材２６のカム部材２９の傾斜カム面２９ａによって移動板２５の角部が押されると共に、さらにカム部材２９の傾斜カム面２９ａの角部が移動板２５の側部に当接して移動板２５がカム部材２９の角部によって横方向に押されるので、移動板２５が水平横方向に移動される。
【００４２】
従って、この移動板２５の横方向の移動によって移動板２５の仕切壁３２によってコンタクト２４の可動側の弾性接片２８が押されるので、弾性接片２８は固定側の弾性接片２７から離れる方向に弾性変形されて、弾性接片２７、２８の先端部が互いに離れる方向に押されて開かれるようになる。
【００４３】
このようにしてコンタクト２４の弾性接片２７、２８は、移動板２５によって先端部の間が十分な間隔をもって開かれるようになり、フリー状態の間隔からオープン状態の大きな間隔に十分に広く開かれるようになる。
【００４４】
従って、上記のように構成された本発明のＩＣソケット２０においては、操作部材２３の押し下げによって、レバー部材２６のカム部材２９を介してコンタクト２４の開閉操作が容易にでき、しかも、コンタクト２４が良好にＩＣパッケージ３０の外部端子３１と接触でき、かつオープン時の移動板２５によるコンタクト２４の引き離しを良好に行って、ＩＣパッケージ３０の取り出しや挿入を容易にすることができ、実装作業の効率を向上して改善することが出来る。
【００４５】
さらに、レバー部材２６だけで移動板２５を移動させるために、ロットによるばらつきが少なく、常に安定したコンタクト開放量を維持でき、コンタクト開放量が決め易く、軽操作性に優れ、多コンタクトから少コンタクトまで広く対応でき、コイルばねのばね力も弱く設定することができる。なお、レバー部材２６は１つでも、２つ以上でも、何個でも良いことは勿論である。
【００４６】
（その他の例）
図１１乃至図１３には、本発明の上述の実施例１および実施例２におけるレバー部材６、２６を弾性附勢する弾性補助機構の３つの例を示す図で、図１１は、弾性補助機構の第１の例を示す側断面図、図１２は、弾性補助機構の第２の例を示す側断面図で、図１３は、弾性補助機構の第３の例を示す側断面図である。
【００４７】
先ず、これら補助弾性機構の第１乃至第３の例が用いられるＩＣソケット自体の構成は、基本的には実施例１および実施例２のＩＣソケットと同一であり、ここでは、その詳細な説明は省略し、また、図面には実施例１のＩＣソケット１の構成を示すものとする。
【００４８】
図１１に示されるように、第１の例の補助弾性機構３１は、レバー部材６を弾性附勢する部材としてコイルばねのようなばね部材３１ａを有しており、このばね部材３１ａによってレバー部材６が上方に押し上げられるように弾性附勢されており、操作部材３の押し下げを解除した時に、ばね部材３１ａのばね力によってレバー部材６が押し上げられて操作部材３の下面にレバー部材６が当接されるように構成されている。
【００４９】
また、図１２に示されるように、第２の例の補助弾性機構３２は、レバー部材６を弾性附勢する部材として捩りばねのようなばね部材３２ａを有しており、このばね部材３２ａによってレバー部材６が上方に押し上げられるように弾性附勢されており、操作部材３の押し下げを解除した時に、ばね部材３２ａのばね力によってレバー部材６が元の位置に戻されるように押し上げられて、操作部材３の下面にレバー部材６が当接されるように構成されている。
【００５０】
さらにまた、図１３に示されるように、第３の例の補助弾性機構３３は、レバー部材６をすくい上げて引き上げるように支持する部材として断面がＵ字形やＬ字形またはＪ字形の固形の剛体から形成された引上げ部材３３ａを有しており、コイルばねのようなばね部材１４による操作部材３の押し上げによって、レバー部材６が引上げ部材３３ａを介して上方に引き上げられるように支持されているので、操作部材３の押し下げを解除した時に、レバー部材６が元の位置に戻されるように押し上げられて、操作部材３の下面にレバー部材６が当接されるように構成されている。
【００５１】
【発明の効果】
以上説明したように、本発明の請求項１記載のＩＣソケットは、上下動可能な操作部材と、装着されたＩＣパッケージと電気的接続を形成する複数個の挟み込み形のコンタクトと、該コンタクトが固設されるソケット本体と、前記コンタクトを開閉する移動板とを有するＩＣソケットにおいて、前記コンタクトを、間隔を置いて保持する格子状の移動板と、前記コンタクトを開閉するために該移動板を横方向に移動するレバー部材とを有し、前記移動板を移動するためのカム機構が該レバー部材に設けられているので、レバー部材だけで移動板を移動させるために、ロットによるばらつきが少なく、常に安定したコンタクト開放量を維持することができ、コンタクト開放量が決め易く、軽操作性に優れ、多コンタクトから少コンタクトまで広く対応でき、コイルばねのばね力も弱く設定することができる。
【００５２】
本発明の請求項２記載のＩＣソケットは、前記コンタクトが、一対の弾性接片を有し、該弾性接片の間に前記移動板の格子状の仕切壁が配設されているので、レバー部材によって移動される移動板の仕切壁によりコンタクトの可動側の弾性接片が動かされて開かれるために、コンタクトの開閉が円滑にスムーズに行われて、常に安定したコンタクト開放量を維持でき、コンタクト開放量が決め易く、軽操作性に優れている。
【００５３】
本発明の請求項３記載のＩＣソケットは、前記操作部材の上下動により前記レバー部材が枢動されて、前記カム機構により前記移動板が横方向に動かされるので、レバー部材だけで移動板を移動させ、ロットによるばらつきが少なくてすみ、常に安定したコンタクト開放量を維持できて、コンタクト開放量が決め易く、軽操作性に優れている。
【００５４】
本発明の請求項４記載のＩＣソケットは、前記一対の弾性接片の上部間に前記移動板の格子状の仕切壁が挟み込まれて配置され、該仕切壁によって片側の弾性接片が開閉されるように形成されているので、レバー部材だけで移動板を移動させてコンタクトをスムーズに開閉することができ、常に安定したコンタクト開放量を維持でき、コンタクト開放量が決め易く、軽操作性に優れている。
【００５５】
本発明の請求項５記載のＩＣソケットは、前記レバー部材が、一端が前記ソケット本体に枢支され、他端が操作部材に当接されており、弾性部材によって上方に弾性附勢されているので、レバー部材だけで移動板を滑らかに操作性用よく移動させてコンタクトをスムーズに開閉することができ、安定したコンタクト開放量を維持でき、コンタクト開放量が決め易い。
【００５６】
本発明の請求項６記載のＩＣソケットは、前記ＩＣパッケージが、ボール・グリッド・アレイタイプのＩＣパッケージであるので、好適にソケットを製作することができる。
【図面の簡単な説明】
【図１】本発明のＩＣソケットの実施例１におけるソケットフリー状態の時の図２のＩ―Ｉ線に沿った断面図である。
【図２】図１の本発明のＩＣソケットを、操作部材を省略して示すソケット本体の平面図である。
【図３】図２のＩＩＩ―ＩＩＩ線に沿った断面図である。
【図４】図１の本発明のＩＣソケットのソケットオープン状態の時の図５のＩＶ―ＩＶ線に沿った断面図である。
【図５】図４の本発明のＩＣソケットを、操作部材を省略して示すソケット本体の平面図である。
【図６】図５のＶＩ―ＶＩ線に沿った断面図である。
【図７】本発明のＩＣソケットの実施例２におけるソケットフリー状態の時の図８のＶＩＩ―ＶＩＩ線に沿った断面図である。
【図８】図７の本発明のＩＣソケットを、操作部材を省略して示すソケット本体の平面図である。
【図９】図７の本発明のＩＣソケットの実施例２におけるソケットオープン状態の時の図１０のＩＸ―ＩＸ線に沿った断面図である。
【図１０】図９の本発明のＩＣソケットを、操作部材を省略して示すのソケット本体の平面図である。
【図１１】本発明のＩＣソケットにおけるソケットフリー時にレバー部材を戻す弾性補助機構の１つを示すの側断面図である。
【図１２】本発明のＩＣソケットにおけるソケットフリー時にレバー部材を戻す別の弾性補助機構を示す側断面図である。
【図１３】本発明のＩＣソケットにおけるソケットフリー時にレバー部材を戻すさらに別の弾性補助機構を示す側断面図である。
【図１４】従来のＩＣソケットのソケットフリー状態の時の中央縦断面図である。
【図１５】図１４の従来のＩＣソケットのソケットオープン状態の時の中央縦断面図である。
【図１６】従来の別のＩＣソケットのソケットフリー状態の時の中央縦断面図である。
【図１７】図１６の従来のＩＣソケットのソケットオープン状態の時の縦中央断面図である。
【符号の説明】
１　　　ＩＣソケット
２　　　ソケット本体
３　　　操作部材
４　　　コンタクト
５　　　移動板
６　　　レバー部材
７　　　弾性接片（固定側）
８　　　弾性接片（可動側）
９　　　カム部材
１０　　ＩＣパッケージ
１１　　外部端子
１２　　仕切壁
１４　　ばね部材
１５　　支軸
１６　　係合部
２０　　ＩＣソケット
２２　　ソケット本体
２３　　操作部材
２４　　コンタクト
２５　　移動板
２６　　レバー部材
２７　　弾性接片（固定側）
２８　　弾性接片（可動側）
２９　　カム部材
３０　　ＩＣパッケージ
３１　　補助弾性機構
３２　　補助弾性機構
３３　　補助弾性機構
【図１】
2004071256.tif 000003
【図２】
2004071256.tif 000004
【図３】
2004071256.tif 000005
【図４】
2004071256.tif 000006
【図５】
2004071256.tif 000007
【図６】
2004071256.tif 000008
【図７】
2004071256.tif 000009
【図８】
2004071256.tif 000010
【図９】
2004071256.tif 000011
【図１０】
2004071256.tif 000012
【図１１】
2004071256.tif 000013
【図１２】
2004071256.tif 000014
【図１３】
2004071256.tif 000015
【図１４】
2004071256.tif 000016
【図１５】
2004071256.tif 000017
【図１６】
2004071256.tif 000018
【図１７】
2004071256.tif 000019